(57)【要約】【課題】光ディスクに対して適切に情報の記録／再生を行うことができる光ピックアップ装置用の光学素子及び光ピックアップ装置を提供する。【解決手段】偏光ビームスプリッタＰＢＳの境界面には、偏光選択性反射膜Ｍが有効領域内にのみ形成されているので、境界面の有効領域外側を通過する光束は透過することとなり、光ディスク側に向かうことを抑制できるため、光ディスクに対して適切に情報の記録／再生を行うことができる。又、このような偏光選択性反射膜Ｍは、成膜時にマスキング等を行うことで容易に形成できるので、コストを有効に抑制できる。【選択図】図３
2010152976.tif 000002
【特許請求の範囲】
【請求項１】
光束を出射する光源と、前記光源からの光束を入射する光学素子と、前記光学素子で反射もしくは透過した光束を光ディスクの情報記録面上に集光させる対物レンズと、を有する光ピックアップ装置用の光学素子において、
前記光学素子は、前記光源からの光束が入射する入射面と、入射した光束を反射もしくは透過する境界面とを有し、前記境界面には、入射した光束が第１の特性を有している場合には反射し、第１の特性とは異なる第２の特性を有している場合には透過する光学膜が、有効領域内にのみ形成されていることを特徴とする光ピックアップ装置用の光学素子。
【請求項２】
前記光学素子は、一対の三角柱状のプリズムからなり、前記光学膜は前記プリズムのうち一方の斜面に形成され、かつ前記光学膜が形成された斜面は、他方の前記プリズムの他方の斜面に相対させて接着されていることを特徴とする請求項１に記載の光ピックアップ装置用の光学素子。
【請求項３】
前記第１の特性と前記第２の特性のうち一方はＳ偏光状態であり、他方はＰ偏光状態であることを特徴とする請求項１又は２に記載の光ピックアップ装置用の光学素子。
【請求項４】
前記第１の特性と前記第２の特性のうち一方は基準波長より短い波長を有することであり、他方は基準波長又はそれより長い波長を有することであることを特徴とする請求項１又は２に記載の光ピックアップ装置用の光学素子。
【請求項５】
請求項１〜４のいずれかに記載の光学素子を有することを特徴とする光ピックアップ装置。
【発明の詳細な説明】
【技術分野】
【０００１】
本発明は、光ディスクに対して情報の記録及び／又は再生を行える光ピックアップ装置用の光学素子及び光ピックアップ装置に関する。
【背景技術】
【０００２】
従来から、ＣＤ、ＤＶＤ等の光ディスクに対して情報の記録及び／又は再生（以下、「記録及び／又は再生」を「記録／再生」と記載する）を行える光ピックアップ装置を備えた情報記録再生装置が開発されている。ところで、一般的な光ピックアップ装置においては、半導体レーザから光ディスクまでの光路と、光ディスクから光検出器までの光路とを分岐するためにビームスプリッタを設けている。
【０００３】
しかるに、このようなビームスプリッタを用いる場合、以下に述べるような問題がある。図１は、比較例として示す半導体レーザと、従来技術のビームスプリッタの概略図である。図１において、半導体レーザＬＤから出射された発散光束は、ビームスプリッタＢＳの入射面ＩＰから入射し、その対角面ＢＰで反射し光軸が９０度折り曲げられて出射面ＯＰから出射する。
【０００４】
ここで、半導体レーザＬＤから出射された発散光束のうち、実線で示す発散角α以内の光束は、不図示の絞りを通過して光ディスクの情報の記録及び／又は再生に用いられることとなる。これに対し、点線で示すような発散角αより外側の光束については、光強度も不足していることもあり不要光として扱われ、本来的には絞りにより光ディスクへの入射を阻止されることとなる。ところが、発散角αより外側の光束（ＬＬ）が対角面ＢＰで反射した際に、出射面ＯＰから出射する前に、内側より入射面ＩＰに入射する場合がある。しかるに、通常プリズムＢＳの入射面ＩＰや出射面ＯＰには反射防止膜（ARコート）が蒸着されているが、点線で示した光束のように入射角が非常に大きくなるとARコートの効果が低下し、全反射に近い状態となり、殆どの光量が反射されてしまう。これにより出射面ＯＰから進行方向の異なる光束が出射してしまい、これが迷光となって絞りを通過して光ディスクに到達する恐れがある。同様に、発散角αより外側の光束（ＬＲ）が、入射面ＩＰから入射した後に、対角面ＢＰに反射する前に出射面ＯＰの内側で全反射の状態で反射する場合があるが、その後対角面ＢＰで反射した光束は、図１に示すように、出射面ＯＰから進行方向の異なる光束として出射してしまい、これが迷光となって絞りを通過して光ディスクに到達する恐れがある。このような迷光が、光ディスクの情報記録面で反射して光検出器で検出されると、フォーカスエラー信号やトラッキングエラー信号に不要なオフセットを生じさせてしまうこととなり、適切な情報の記録及び／又は再生を妨げるという問題がある。
【０００５】
特許文献１には、プリズムの角度を45°から僅かにずらし、プリズム表面から反射した迷光や内面から反射した迷光が半導体レーザ（ＬＤ）や光検出器（ＰＤ）に入射してしまう事を防止する技術が開示されている。又、特許文献２には、プリズムに光吸収膜を付け、不要光を吸収させ、不要な光が光検出器に入らないようにした技術が開示されている。更に、特許文献３には、遮光部材を不要光の光路に設け遮光し、不要な迷光が光検出器に入らないようにした技術が開示されている。
【特許文献１】特開平7-129992号公報
【特許文献２】特開平11-283271号公報
【特許文献３】特開2000-21012号公報
【発明の開示】
【発明が解決しようとする課題】
【０００６】
しかるに、特許文献１の技術によれば、プリズムの角度を少しずらす方法により迷光を光検出器に入射させないようにしているが、頂角を45°からずらした三角プリズムは標準品ではないため、部品コストが大幅にアップするという問題がある。又、特許文献２の技術も、光吸収部材を余分にプリズムに取り付ける必要があり、同様にコストアップを招くという問題がある。更に、特許文献３で提案されている遮光部材により迷光を遮光しようとすると、出射面を出射した後では迷光が正規光と重なり合うので有効な遮光はできないという問題がある。これに対し半導体レーザとプリズムとの間であれば遮光は可能であるが、ここは通常、回折格子とそのホルダーを挿入するための空間として確保する必要があり、特に回折格子は回転調整を行う必要があるのでスペース的に厳しいという問題がある。
【０００７】
本発明は、上述の問題に鑑みてなされたものであり、安価でコンパクトでありながら、光ディスクに対して適切に情報の記録／再生を行うことができる光ピックアップ装置用の光学素子及び光ピックアップ装置を提供することを目的とする。
【課題を解決するための手段】
【０００８】
請求項１に記載の光ピックアップ装置用の光学素子は、光束を出射する光源と、前記光源からの光束を入射する光学素子と、前記光学素子で反射もしくは透過した光束を光ディスクの情報記録面上に集光させる対物レンズと、を有する光ピックアップ装置用の光学素子において、
前記光学素子は、前記光源からの光束が入射する入射面と、入射した光束を反射もしくは透過する境界面とを有し、前記境界面には、入射した光束が第１の特性を有している場合には反射し、第１の特性とは異なる第２の特性を有している場合には透過する光学膜が、有効領域内にのみ形成されていることを特徴とする。
【０００９】
本発明によれば、前記光学素子の境界面には、前記光学膜が有効領域内にのみ形成されているので、前記境界面の有効領域外側を通過する光束は透過もしくは反射することとなり、光ディスク側に向かうことを抑制できるため、光ディスクに対して適切に情報の記録／再生を行うことができる。又、このような光学膜は、成膜時にマスキング等を行うことで容易に形成できるので、コストを有効に抑制できる。尚、「有効領域」とは、例えば光ピックアップ装置において、対物レンズの光源側に配置された絞りの開口径を境界として規定される領域であり、すなわち有効領域内に入射した光束は絞りを通過して光ディスクに集光されるが、有効領域外に入射した光束は絞りを通過できず光ディスクに集光されないとして定義される範囲である。又、この有効領域範囲には、トラッキング動作に伴いディスクの偏心に追従する場合など対物レンズと絞りを一体的に移動させた時の光束を含めた領域も含む。
【００１０】
請求項２に記載の光ピックアップ装置用の光学素子は、請求項１に記載の発明において、前記光学素子は、一対の三角柱状のプリズムからなり、前記光学膜は前記プリズムのうち一方の斜面に形成され、かつ前記光学膜が形成された斜面は、他方の前記プリズムの他方の斜面に相対させて接着されていることを特徴とするので、通常の工程を通じて容易に製作できる。
【００１１】
請求項３に記載の光ピックアップ装置用の光学素子は、請求項１又は２に記載の発明において、前記第１の特性と前記第２の特性のうち一方はＳ偏光状態であり、他方はＰ偏光状態であることを特徴とする。このような光学素子の例としては、偏光ビームスプリッタがある。
【００１２】
請求項４に記載の光ピックアップ装置用の光学素子は、請求項１又は２に記載の発明において、前記第１の特性と前記第２の特性のうち一方は基準波長より短い波長を有することであり、他方は基準波長又はそれより長い波長を有することであることを特徴とする。このような光学素子の例としては、ダイクロイックプリズムがある。
【００１３】
請求項５に記載の光ピックアップ装置は、請求項１〜４のいずれかに記載の光学素子を有することを特徴とする。
【発明の効果】
【００１４】
本発明によれば、安価でコンパクトでありながら、光ディスクに対して適切に情報の記録／再生を行うことができる光ピックアップ装置用の光学素子及び光ピックアップ装置を提供することが可能になる。
【発明を実施するための最良の形態】
【００１５】
以下、本発明の実施の形態を、図面を参照して説明する。図２は、光ディスクであるＢＤに対して適切に情報の記録／再生を行うことができる本実施の形態の光ピックアップ装置ＰＵ１の構成を示す概略図である。図３は、本実施の形態にかかる光学素子としての偏光ビームスプリッタＰＢＳの周辺を示す図である。
【００１６】
図３において、偏光ビームスプリッタＰＢＳは、互いに断面形状が等しい三角柱状の一対のプリズムＰ１，Ｐ２を組み合わせてなる。一方のプリズムＰ１の斜面（境界面とする）Ｐｐ１において、有効領域の範囲に偏光選択性反射膜（光学膜）Ｍを成膜してなる。偏光選択性反射膜ＭはＳ偏光の光束を反射させるが、Ｐ偏光の光束を透過する機能を有するが、良く知られているので以下に詳細は記載しない。偏光選択性反射膜Ｍは、後述する絞りＡＰの開口を通過する光束のみが反射する範囲（これを有効領域という）に形成されている。図３の例では、斜面Ｐｐ１に対して発散光束が入射するので、発散光束の光軸と斜面Ｐｐ１とが交差する位置Ｐに対して、左側は半円を圧縮し且つ右側は半円を引き延ばした非対称形状となっており、これが有効領域となる。図に示すように、トラッキング時の光ディスク偏心追従などのため対物レンズＯＢＪと開口絞りＡＰとがラジアル方向に一体的にシフトされることを考慮し、有効領域は発散光束の照射領域より大きくなっている。このように形状が制限された偏光選択性反射膜Ｍは、蒸着などの成膜時に、有効領域外をマスキングすることで容易に形成することができる。
【００１７】
一方のプリズムＰ１の斜面Ｐｐ１は、他方のプリズムＰ２の斜面Ｐｐ２と対向され、間に接着剤Ｂを介在して接合されている。接着剤Ｂの屈折率は、プリズムＰ１、Ｐ２の屈折率に等しいと光束の通過時に反射が生じないので望ましい。図３では誇張しているが、膜厚や接着剤層の厚さは非常に薄く、偏光ビームスプリッタＰＢＳの光学特性に影響を及ぼさない。このようにして形成された断面が正四角形状の偏光ビームスプリッタＰＢＳにおいて、青紫色半導体レーザＬＤ１に対向する面を入射面ＩＰとし、対物レンズＯＢＪ（図２）に対向する面を出射面ＯＰとする。
【００１８】
図２において、光ピックアップ装置ＰＵ１は、対物レンズＯＢＪ、絞りＡＰ、１／４波長板ＱＷＰ、コリメートレンズＣＬ、光学素子である偏光ビームスプリッタＰＢＳ、回折格子Ｄ、波長λ１＝４０５ｎｍのレーザ光束を射出する光源である青紫色半導体レーザＬＤ１、センサレンズＳＮ、光検出器ＰＤを有する。
【００１９】
青紫色半導体レーザＬＤ１から例えばＳ偏光の状態で射出された第１光束（λ１＝４０５ｎｍ）の発散光束は、回折格子Ｄによりトラッキングエラー信号検出に必要な２つのサブビーム（±1次回折光）と情報の記録・再生を行うメインビーム（０次回折光）の３つのビームに分けられるが、説明の都合上、単一の光束として説明する（以下同じ）。回折格子Ｄを通過した光束は、更に偏光ビームスプリッタＰＢＳに入射する。
【００２０】
ここで、偏光ビームスプリッタＰＢＳの入射面ＩＰから入射した発散光束のうち、点線で示すような発散角αより外側の光束については、斜面Ｐｐ１の偏光選択性反射膜Ｍに入射しないので、斜面Ｐｐ１、接着剤Ｂ層、斜面Ｐｐ２を通過して、偏光ビームスプリッタＰＢＳを透過することとなり、従って対物レンズＯＢＪ側に向かわないので、迷光となることが抑制される。尚、偏光ビームスプリッタＰＢＳの青紫色半導体レーザＬＤ１と反対側に（図３で下方側）、光吸収部材を配置すると好ましい。
【００２１】
一方、偏光ビームスプリッタＰＢＳの入射面ＩＰから入射した発散光束のうち、実線で示すような発散角αより内側の光束については、斜面Ｐｐ１の偏光選択性反射膜Ｍで反射され、図２において、コリメートレンズＣＬにより略平行光束とされた後、１／４波長板ＱＷＰを通過して直線偏光（例えばＳ偏光）から円偏光に変換され、絞りＡＰを透過して、対物レンズＯＢＪに入射する。ここで、対物レンズＯＢＪにより集光された光束は、厚さ０．１ｍｍの保護基板を介して、ＢＤの情報記録面上に形成されるスポットとなる。
【００２２】
情報記録面上で情報ピットにより変調された反射光束は、再び対物レンズＯＢＪ、絞りＡＰを透過した後、１／４波長板ＱＷＰにより円偏光から直線偏光（例えばＰ偏光）に変換され、コリメートレンズＣＬにより収斂光束とされ、偏光ビームスプリッタＰＢＳを透過した後、センサレンズＳＮを介して光検出器ＰＤの受光面上に、メインビームとサブビームに分離した状態で収束する。そして、光検出器ＰＤの出力信号を用いて、不図示のアクチュエータにより対物レンズＯＢＪをフォーカシングやトラッキングさせることで、ＢＤに記録された情報を読み取ることができる。
【００２３】
本実施の形態によれば、偏光ビームスプリッタＰＢＳの境界面には、偏光選択性反射膜Ｍが有効領域内にのみ形成されているので、境界面の有効領域外側を通過する光束は透過することとなり、光ディスク側に向かうことを抑制できるため、光ディスクに対して適切に情報の記録／再生を行うことができる。又、このような偏光選択性反射膜Ｍは、成膜時にマスキング等を行うことで容易に形成できるので、コストを有効に抑制できる。
【００２４】
本実施の形態の変形例としては、青紫色半導体レーザＬＤ１と光検出器ＰＤとの位置を相互に変更し、青紫色半導体レーザＬＤ１からＰ偏光の状態で出射した光束を、同様な構成を有する偏光ビームスプリッタＰＢＳを透過させ、ＢＤから反射してきたＳ偏光の状態の光束を偏光ビームスプリッタＰＢＳで反射させて光検出器ＰＤに入射させることもできる。
【００２５】
図４は、異なる光ディスクであるＢＤとＤＶＤとＣＤに対して適切に情報の記録／再生を行うことができる本実施の形態の光ピックアップ装置ＰＵ２の構成を、光ディスクの軸線方向に見た概略図であり、図５は、図４の構成を矢印V方向に見た概略図であるが、コリメートレンズ用のアクチュエータは省略している。かかる光ピックアップ装置ＰＵ２は、光情報記録再生装置に搭載できる。ここでは、第１光ディスクをＢＤとし、第２光ディスクをＤＶＤとし、第３光ディスクをＣＤとする。
【００２６】
光ピックアップ装置ＰＵ２は、第１の対物レンズＯＢＪ１、第２の対物レンズＯＢＪ２、１／４波長板ＱＷＰ、複合プリズムＣＰＳＭ、コリメートレンズＣＬ、圧電素子等を利用してコリメートレンズＣＬを光軸方向に駆動するアクチュエータＡＣ、偏光プリズムＰＰＳ、回折格子Ｄ１，Ｄ２、波長λ１＝４０５ｎｍのレーザ光束（第１光束）を射出する第１の光源である青紫色半導体レーザＬＤ１、光学素子であるダイクロイックプリズムＤＰＳ、波長λ２＝６５５ｎｍのレーザ光束（第２光束）を射出する第２半導体レーザ（第２光源）と、波長λ３＝７８５ｎｍのレーザ光束（第３光束）を射出する第３半導体レーザ（第３光源）とを同一パッケージ内に収容した２レーザ１パッケージ２Ｌ１Ｐ、センサレンズＳＮ、光軸補正素子ＢＳＥ、光検出器ＰＤを有する。第１の対物レンズＯＢＪ１はＢＤ専用であり、第２の対物レンズＯＢＪ２はＤＶＤ／ＣＤ共用である。光軸補正素子ＢＳＥは、２レーザ１パッケージ２Ｌ１Ｐの軸外に設定された発光点から出射される光束（例えば赤外光）のみ作用し、光軸を傾ける機能を有するため、周知のように波長選択性の回折格子によって実現されている。
【００２７】
尚、本実施の形態においては、ダイクロイックプリズムＤＰＳは、図３の構成と同様に、互いに断面形状が等しい三角柱状の一対のプリズムを組み合わせてなり、一方のプリズムの斜面（境界面とする）において、有効領域の範囲に波長選択性反射膜（光学膜）を成膜してなる。波長選択性反射膜は、基準波長（例えば４５０〜６２０nmの間）未満の光束を反射させるが、基準波長以上の光束を透過する機能を有するが、良く知られているので以下に詳細は記載しない。波長選択性反射膜は、不図示の絞りの開口を通過する波長λ１の光束のみが反射する範囲（有効領域）に形成されている。それ以外の構成については、図３の構成と同様である。
【００２８】
複合プリズムＣＰＳＭは、前段反射面Ｍｐ１と後段反射面Ｍｐ２とを有している。前段反射面Ｍｐ１には、反射角４５度で波長λ１の光束を反射し、波長λ２及び波長λ３の光束は透過するような膜が形成されている。後段反射面Ｍｐ２は、前段反射面Ｍｐ１を透過した光束を反射角４５度で反射する。
【００２９】
ＢＤに対して情報の記録／再生を行う場合、コリメートレンズＣＬはＢＤに最適な光軸位置に変位させられる。青紫色半導体レーザＬＤ１からラジアル方向に射出された第１光束（λ１＝４０５ｎｍ）の発散光束は、回折格子Ｄ１によりトラッキングエラー信号検出に必要な２つのサブビーム（±1次回折光）と情報の記録・再生を行うメインビーム（０次回折光）の３つのビームに分けられる。回折格子Ｄ１から出射した光束は、更にダイクロイックプリズムＤＰＳに入射する。
【００３０】
ダイクロイックプリズムＤＰＳに入射した波長λ１の発散光束のうち、有効領域外側の光束については、内部境界面の波長選択性反射膜に入射せず、ダイクロイックプリズムＤＰＳを透過するため、対物レンズＯＢＪ側に向かわないので、迷光となることが抑制される。
【００３１】
一方、ダイクロイックプリズムＤＰＳに入射した発散光束のうち有効領域内側の光束は、境界面の波長選択性反射膜で反射してタンジェンシャル方向に向かい、更に偏光プリズムＰＰＳを透過し、コリメートレンズＣＬにより略平行光束とされた後、複合プリズムＣＰＳＭの入射面ＩＰに光軸を直交させながら入射する。入射した光束は、前段反射面Ｍｐ１で反射し（反射角４５度）、複合プリズムＣＰＳＭの出射面ＯＰから、光軸を直交させながら出射する。複合プリズムＣＰＳＭから出射した光束は、１／４波長板ＱＷＰを通過して直線偏光（例えばＰ偏光）から円偏光に変換され、不図示の絞りによりその光束径が規制され、第１の対物レンズＯＢＪ１に入射する。ここで、第１の対物レンズＯＢＪ１により集光された光束は、厚さ０．１ｍｍの保護基板を介して、ＢＤの情報記録面上に形成されるスポットとなる。
【００３２】
情報記録面上で情報ピットにより変調された反射光束は、再び第１の対物レンズＯＢＪ１、不図示の絞りを透過した後、１／４波長板ＱＷＰにより円偏光から直線偏光（例えばＳ偏光）に変換され、同様に複合プリズムＣＰＳＭの前段反射面Ｍｐ１で反射されてタンジェンシャル方向に向かい、コリメートレンズＣＬにより収斂光束とされ、偏光プリズムＰＰＳで反射した後、センサレンズＳＮ及び光軸補正素子ＢＳＥを介して光検出器ＰＤの受光面上に、メインビームとサブビームに分離した状態で収束する。そして、光検出器ＰＤの出力信号を用いて、不図示のアクチュエータにより第１の対物レンズＯＢＪ１をフォーカシングやトラッキングさせることで、ＢＤに記録された情報を読み取ることができる。
【００３３】
ＤＶＤ又はＣＤに対して情報の記録／再生を行う場合、コリメートレンズＣＬはそれぞれＤＶＤ又はＣＤに最適な光軸位置に変位させられる。２レーザ１パッケージ２Ｌ１Ｐからタンジェンシャル方向に射出された第２光束（λ２＝６５５ｎｍ）又は第３光束（λ３＝７８５ｎｍ）の発散光束は、回折格子Ｄ２によりトラッキングエラー信号検出に必要な２つのサブビーム（±1次回折光）と情報の記録・再生を行うメインビーム（０次回折光）の３つのビームに分けられる。回折格子Ｄ２から出射した光束は、ダイクロイックプリズムＤＰＳを透過して更に偏光プリズムＰＰＳを透過し、コリメートレンズＣＬにより平行光束とされた後、複合プリズムＣＰＳＭの入射面ＩＰに光軸を直交させながら入射する。入射した光束は、前段反射面Ｍｐ１を透過し、後段反射面Ｍｐ２で反射し（反射角４５度）、複合プリズムＣＰＳＭの出射面ＯＰから、光軸を直交させながら出射する。複合プリズムＣＰＳＭから出射した光束は、１／４波長板ＱＷＰを通過して直線偏光（例えばＰ偏光）から円偏光に変換され、不図示の絞りによりその光束径が規制され、第２の対物レンズＯＢＪ２に入射する。ここで、第２の対物レンズＯＢＪ２により集光された光束は、厚さ０．６ｍｍ又は１．２ｍｍの保護基板を介して、ＤＶＤ又はＣＤの情報記録面上に形成されるスポットとなる。
【００３４】
情報記録面上で情報ピットにより変調された反射光束は、再び第２の対物レンズＯＢＪ２、不図示の絞りを透過した後、１／４波長板ＱＷＰにより円偏光から直線偏光（例えばＳ偏光）に変換され、同様に複合プリズムＣＰＳＭの後段反射面Ｍｐ２で反射されてタンジェンシャル方向に向かい前段反射面Ｍｐ１を透過して、コリメートレンズＣＬにより収斂光束とされ、偏光プリズムＰＰＳで反射した後、センサレンズＳＮ及び光軸補正素子ＢＳＥを介して一方の波長の光束（例えば赤外光）のみ光軸を補正され、光検出器ＰＤの受光面上にメインビームとサブビームに分離した状態で収束する。そして、光検出器ＰＤの出力信号を用いて、不図示のアクチュエータにより第２の対物レンズＯＢＪ２をフォーカシングやトラッキングさせることで、ＤＶＤ又はＣＤに記録された情報を読み取ることができる。
【００３５】
本実施の形態においては、波長λ１の光束のみ、ダイクロイックプリズムＤＰＳの有効領域内で反射するようにしたが、これはＤＶＤ／ＣＤに比べて、ＢＤの方が迷光の影響が大きいという実情に合わせたものである。より具体的には、ＢＤ用の対物レンズは、ＮＡが０．８５と大きいので焦点深度が狭く、フォーカスオフセット許容範囲が狭い。同様にＢＤのトラックピッチが０．３２μｍとＤＶＤの半分以下のためトラッキングオフセット許容範囲が狭い。迷光があるとフォーカスエラー信号やトラッキングエラー信号にオフセットが発生するため、ＢＤではより迷光を抑える必要がある。更に、ＤＶＤと同様にＢＤにも２層ディスクがあるが、記録層間が２５μｍと非常に狭いので（ＤＶＤは５５μｍ）、他層迷光の影響が大きい。この他層迷光に加えて別の迷光があると光検出器上でこれらの迷光が干渉し、さらに悪影響を及ぼしてしまうため、ＢＤではディスク以外で発生する迷光を抑制する必要がある。よって、本実施の形態では、波長λ１の光束のみダイクロイックプリズムＤＰＳの有効領域内で反射するようにして迷光の発生を抑制している。
【図面の簡単な説明】
【００３６】
【図１】従来技術を示す図である。
【図２】第１の実施の形態にかかる光ピックアップ装置ＰＵ１の構成を示す概略図である。
【図３】本実施の形態にかかる光学素子としての偏光ビームスプリッタＰＰＳの周辺を示す図である。
【図４】第２の実施の形態にかかる光ピックアップ装置ＰＵ２の構成を、光ディスクの軸線方向に見た概略図である。
【図５】図４の構成を矢印V方向に見た概略図である。
【符号の説明】
【００３７】
ＡＣ アクチュエータ
ＡＰ 絞り
Ｂ 接着剤
ＢＳＥ 光軸補正素子
ＣＬ コリメートレンズ
ＣＰＳＭ 複合プリズム
Ｄ 回折格子
Ｄ１，Ｄ２ 回折格子
ＤＰＳ ダイクロイックプリズム
ＩＰ 入射面
Ｌ１ 入射光束
Ｌ２ 出射光束
ＬＤ１ 青紫色半導体レーザ
Ｍ 偏光選択性反射膜
Ｍ２ 立ち上げミラー
ＭＲ ミラー
Ｍｐ１ 前段反射面
Ｍｐ２ 後段反射面
ＯＢＪ 対物レンズ
ＯＢＪ１ 対物レンズ
ＯＢＪ２ 対物レンズ
ＯＰ 出射面
Ｐ 位置
Ｐ１，Ｐ２ プリズム
ＰＤ 光検出器
ＰＢＳ 偏光ビームスプリッタ
ＰＰＳ 偏光プリズム
ＰＵ１ 光ピックアップ装置
ＰＵ２ 光ピックアップ装置
Ｐｐ１ 斜面
Ｐｐ２ 斜面
ＱＷＰ  １／４波長板
ＳＮ センサレンズ
【図１】
2010152976.tif 000003
【図２】
2010152976.tif 000004
【図３】
2010152976.tif 000005
【図４】
2010152976.tif 000006
【図５】
2010152976.tif 000007